【手続補正書】
【提出日】平成20年3月18日(2008.3.18)
【手続補正１】
【補正対象書類名】明細書
【補正対象項目名】発明の名称
【補正方法】変更
【補正の内容】
【発明の名称】情報処理システム、情報処理装置、情報処理方法及びプログラム
【手続補正２】
【補正対象書類名】明細書
【補正対象項目名】特許請求の範囲
【補正方法】変更
【補正の内容】
【特許請求の範囲】
【請求項１】  ネットワークを介して互いに通信する著作権管理装置および印刷処理装置を含む情報処理システムであって、
前記著作権管理装置は、
有効期限および印刷条件に関する情報を含む、イメージデータに関する著作権データを記憶する記憶手段を備え、
前記印刷処理装置は、
前記イメージデータに付加された第１の著作権データを取得する取得手段と、
前記第１の著作権データの有効期限にしたがって、前記イメージデータに関する第２の著作権データを前記著作権管理装置から受信すべきかどうかを判別する判別手段と、
前記判別手段による判別の結果にしたがって、前記第２の著作権データを前記著作権管理装置から受信する受信手段と、
前記判別手段による判別の結果にしたがって、前記取得手段により取得された第１の著作権データに含まれる印刷条件および前記受信手段により受信された第２の著作権データに含まれる印刷条件のうち、いずれか一方を利用して、前記イメージデータの印刷処理を実行する印刷処理手段とを備えたことを特徴とする情報処理システム。
【請求項２】  ネットワークを介して著作権管理装置と通信する情報処理装置であって、
イメージデータに付加され、有効期限および印刷条件に関する情報を含む第１の著作権データを取得する取得手段と、
前記第１の著作権データの有効期限にしたがって、前記イメージデータに関する第２の著作権データを前記著作権管理装置から受信すべきかどうかを判別する判別手段と、
前記判別手段による判別の結果にしたがって、前記第２の著作権データを前記著作権管理装置から受信する受信手段と、
前記判別手段による判別の結果にしたがって、前記取得手段により取得された第１の著作権データに含まれる印刷条件および前記受信手段により受信された第２の著作権データに含まれる印刷条件のうち、いずれか一方を利用して、前記イメージデータの印刷処理を実行する印刷処理手段とを備えたことを特徴とする情報処理装置。
【請求項３】  前記有効期限は前記第１の著作権データの最終更新日から所定の期間の日付を示すことを特徴とする請求項２記載の情報処理装置。
【請求項４】  前記受信手段により前記第２の著作権データを受信できなかった場合、前記印刷処理手段は、前記第１の著作権データに含まれる印刷条件を用いて前記イメージデータの印刷処理を実行することを特徴とする請求項２または３記載の情報処理装置。
【請求項５】  ネットワークを介して著作権管理装置と通信する情報処理装置における情報処理方法であって、
イメージデータに付加され、有効期限および印刷条件に関する情報を含む第１の著作権データを取得する取得工程と、
前記第１の著作権データの有効期限にしたがって、前記イメージデータに関する第２の著作権データを前記著作権管理装置から受信すべきかどうかを判別する判別工程と、
前記判別工程における判別の結果にしたがって、前記第２の著作権データを前記著作権管理装置から受信する受信工程と、
前記判別工程における判別の結果にしたがって、前記取得工程において取得された第１の著作権データに含まれる印刷条件および前記受信工程において受信された第２の著作権データに含まれる印刷条件のうち、いずれか一方を利用して、前記イメージデータの印刷処理を実行する印刷処理工程とを備えたことを特徴とする情報処理方法。
【請求項６】  ネットワークを介して著作権管理装置と通信する情報処理装置においてコンピュータに実行させるプログラムであって、
イメージデータに付加され、有効期限および印刷条件に関する情報を含む第１の著作権データを取得する取得工程と、
前記第１の著作権データの有効期限にしたがって、前記イメージデータに関する第２の著作権データを前記著作権管理装置から受信すべきかどうかを判別する判別工程と、
前記判別工程における判別の結果にしたがって、前記第２の著作権データを前記著作権管理装置から受信する受信工程と、
前記判別工程における判別の結果にしたがって、前記取得工程において取得された第１の著作権データに含まれる印刷条件および前記受信工程において受信された第２の著作権データに含まれる印刷条件のうち、いずれか一方を利用して、前記イメージデータの印刷処理を実行する印刷処理工程とをコンピュータに実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、例えば、著作権情報を含んだ情報を印刷出力する装置やシステムに用いられる、情報処理システム、情報処理装置、情報処理方法、及びプログラムに関するものである。
【手続補正４】
【補正対象書類名】明細書
【補正対象項目名】０００４
【補正方法】変更
【補正の内容】
【０００４】
そこで、本発明は、上記の欠点を除去するために成されたもので、印刷物の著作権を確実に保護することが可能な、情報処理システム、情報処理装置、情報処理方法、及びプログラムを提供することを目的とする。
【手続補正５】
【補正対象書類名】明細書
【補正対象項目名】０００５
【補正方法】変更
【補正の内容】
【０００５】
【課題を解決するための手段】
本発明の情報処理システムは、ネットワークを介して互いに通信する著作権管理装置および印刷処理装置を含む情報処理システムであって、前記著作権管理装置は、有効期限および印刷条件に関する情報を含む、イメージデータに関する著作権データを記憶する記憶手段を備え、前記印刷処理装置は、前記イメージデータに付加された第１の著作権データを取得する取得手段と、前記第１の著作権データの有効期限にしたがって、前記イメージデータに関する第２の著作権データを前記著作権管理装置から受信すべきかどうかを判別する判別手段と、前記判別手段による判別の結果にしたがって、前記第２の著作権データを前記著作権管理装置から受信する受信手段と、前記判別手段による判別の結果にしたがって、前記取得手段により取得された第１の著作権データに含まれる印刷条件および前記受信手段により受信された第２の著作権データに含まれる印刷条件のうち、いずれか一方を利用して、前記イメージデータの印刷処理を実行する印刷処理手段とを備えたことを特徴とする。
本発明の情報処理装置は、ネットワークを介して著作権管理装置と通信する情報処理装置であって、イメージデータに付加され、有効期限および印刷条件に関する情報を含む第１の著作権データを取得する取得手段と、前記第１の著作権データの有効期限にしたがって、前記イメージデータに関する第２の著作権データを前記著作権管理装置から受信すべきかどうかを判別する判別手段と、前記判別手段による判別の結果にしたがって、前記第２の著作権データを前記著作権管理装置から受信する受信手段と、前記判別手段による判別の結果にしたがって、前記取得手段により取得された第１の著作権データに含まれる印刷条件および前記受信手段により受信された第２の著作権データに含まれる印刷条件のうち、いずれか一方を利用して、前記イメージデータの印刷処理を実行する印刷処理手段とを備えたことを特徴とする。
【手続補正６】
【補正対象書類名】明細書
【補正対象項目名】０００６
【補正方法】変更
【補正の内容】
【０００６】
本発明の情報処理方法は、ネットワークを介して著作権管理装置と通信する情報処理装置における情報処理方法であって、イメージデータに付加され、有効期限および印刷条件に関する情報を含む第１の著作権データを取得する取得工程と、前記第１の著作権データの有効期限にしたがって、前記イメージデータに関する第２の著作権データを前記著作権管理装置から受信すべきかどうかを判別する判別工程と、前記判別工程における判別の結果にしたがって、前記第２の著作権データを前記著作権管理装置から受信する受信工程と、前記判別工程における判別の結果にしたがって、前記取得工程において取得された第１の著作権データに含まれる印刷条件および前記受信工程において受信された第２の著作権データに含まれる印刷条件のうち、いずれか一方を利用して、前記イメージデータの印刷処理を実行する印刷処理工程とを備えたことを特徴とする。
本発明のプログラムは、ネットワークを介して著作権管理装置と通信する情報処理装置においてコンピュータに実行させるプログラムであって、イメージデータに付加され、有効期限および印刷条件に関する情報を含む第１の著作権データを取得する取得工程と、前記第１の著作権データの有効期限にしたがって、前記イメージデータに関する第２の著作権データを前記著作権管理装置から受信すべきかどうかを判別する判別工程と、前記判別工程における判別の結果にしたがって、前記第２の著作権データを前記著作権管理装置から受信する受信工程と、前記判別工程における判別の結果にしたがって、前記取得工程において取得された第１の著作権データに含まれる印刷条件および前記受信工程において受信された第２の著作権データに含まれる印刷条件のうち、いずれか一方を利用して、前記イメージデータの印刷処理を実行する印刷処理工程とをコンピュータに実行させることを特徴とする。